【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
ハードディスクドライブ及び前記ハードディスクドライブを収納するための収納ケースを備えて構成される複数の記憶デバイスユニットが隣接して配置されてなるディスクアレイ装置であって、
前記各記憶デバイスユニットは、それぞれの前記ハードディスクドライブの動作状態を表示するための発光素子を前記収納ケースに装着していることを特徴とするディスクアレイ装置。
【請求項２】
請求項１に記載のディスクアレイ装置であって、
前記記憶デバイスユニットは、前記ハードディスクドライブに記憶されるデータの入出力のための第１のコネクタと、前記第１のコネクタと離間されて配置される、前記発光素子の制御信号の入出力のための第２のコネクタとを備えていることを特徴とするディスクアレイ装置。
【請求項３】
請求項１に記載のディスクアレイ装置であって、
前記発光素子として、前記収納ケースに装着された第１の発光素子および第２の発光素子を備え、
前記ハードディスクドライブが動作停止中の状態である場合には、前記第１の発光素子及び前記第２の発光素子を消灯させ、
前記ハードディスクドライブが正常稼働中の状態である場合には、前記第１の発光素子を点灯させ前記第２の発光素子を消灯させ、
前記ハードディスクドライブが交換可能な状態である場合には、前記第１の発光素子を消灯させ前記第２の発光素子を点灯させ、
前記ハードディスクドライブが故障中の状態である場合には、前記第１の発光素子を消灯させ前記第２の発光素子を点滅させ、
前記ハードディスクドライブに記憶されるデータの修復中の状態である場合には、前記第１の発光素子及び前記第２の発光素子が点滅させる手段、
を備えることを特徴とするディスクアレイ装置。
【請求項４】
請求項１に記載のディスクアレイ装置であって、
前記発光素子として、前記収納ケースに装着された第１の発光素子および第２の発光素子を備え、
前記ハードディスクドライブにはＲＡＩＤ１〜５の運用方式が適用され、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させること、を特徴とするディスクアレイ装置。
【請求項５】
請求項１に記載のディスクアレイ装置であって、
前記発光素子は、前記ハードディスクドライブの動作状態を表示するために設けられる情報処理装置に表示される動作状態と一致した動作状態を表示することを特徴とするディスクアレイ装置。
【請求項６】
請求項１に記載のディスクアレイ装置であって、
前記収納ケースには、前記発光素子からの光を混色させて視認方向に透過させるための視認窓が設けられていることを特徴とするディスクアレイ装置。
【請求項７】
ハードディスクドライブ及び前記ハードディスクドライブを収納するための収納ケースを備えて構成される複数の記憶デバイスユニットが隣接して配置されてなるディスクアレイ装置に用いられる前記記憶デバイスユニットであって、
前記ハードディスクドライブの動作状態を表示するための発光素子が前記収納ケースに装着されていることを特徴とする記憶デバイスユニット。
【請求項８】
請求項７に記載の記憶デバイスユニットであって、
前記ハードディスクドライブに記憶されるデータの入出力のための第１のコネクタと、前記第１のコネクタと離間されて配置される、前記発光素子の制御信号の入出力のための第２のコネクタとを備えていることを特徴とする記憶デバイスユニット。
【請求項９】
請求項７に記載の記憶デバイスユニットであって、
前記発光素子として、前記収納ケースに装着された第１の発光素子および第２の発光素子を備え、
前記ハードディスクドライブが動作停止中の状態である場合には、前記第１の発光素子及び第２の発光素子を消灯させ、
前記ハードディスクドライブが正常稼働中の状態である場合には、前記第１の発光素子を点灯させ前記第２の発光素子を消灯させ、
前記ハードディスクドライブが交換可能な状態である場合には、前記第１の発光素子を消灯させ前記第２の発光素子を点灯させ、
前記ハードディスクドライブが故障中の状態である場合には、前記第１の発光素子を消灯させ前記第２の発光素子を点滅させ、
前記ハードディスクドライブに記憶されるデータの修復中の状態である場合には、前記第１の発光素子及び前記第２の発光素子が点滅させる手段、
を備えることを特徴とする記憶デバイスユニット。
【請求項１０】
請求項７に記載の記憶デバイスユニットであって、
前記ハードディスクドライブにはＲＡＩＤ１〜５の運用方式が適用され、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させること、を特徴とする記憶デバイスユニット。
【請求項１１】
請求項７に記載の記憶デバイスユニットであって、
前記発光素子は、前記ハードディスクドライブの動作状態を表示するために設けられる情報処理装置に表示される動作状態と一致した動作状態を表示することを特徴とする記憶デバイスユニット。
【請求項１２】
請求項７に記載の記憶デバイスユニットであって、
前記収納ケースには、前記発光素子からの光を混色させて視認方向に透過させるための視認窓が設けられていることを特徴とする記憶デバイスユニット。
【請求項１３】
ハードディスクドライブ及び前記ハードディスクドライブを収納するための収納ケースを備えて構成される複数の記憶デバイスユニットが隣接して配置されてなるディスクアレイ装置の制御方法であって、
前記収納ケースに装着された発光素子に、前記ハードディスクドライブの動作状態を表示させることを特徴とするディスクアレイ装置の制御方法。
【請求項１４】
請求項１３に記載のディスクアレイ装置の制御方法であって、
前記発光素子として備える前記収納ケースに装着された第１の発光素子および第２の発光素子により、
前記ハードディスクドライブが動作停止中の状態である場合には、前記第１の発光素子及び前記第２の発光素子を消灯させ、
前記ハードディスクドライブが正常稼働中の状態である場合には、前記第１の発光素子を点灯させ前記第２の発光素子を消灯させ、
前記ハードディスクドライブが交換可能な状態である場合には、前記第１の発光素子を消灯させ前記第２の発光素子を点灯させ、
前記ハードディスクドライブが故障中の状態である場合には、前記第１の発光素子を消灯させ前記第２の発光素子を点滅させ、
前記ハードディスクドライブに記憶されるデータの修復中の状態である場合には、前記第１の発光素子及び前記第２の発光素子を点滅させることを特徴とするディスクアレイ装置の制御方法。
【請求項１５】
請求項１３に記載のディスクアレイ装置の制御方法であって、
前記ハードディスクドライブにはＲＡＩＤ１〜５の運用方式を適用し、
前記発光素子として備える前記収納ケースに装着された第１の発光素子および第２の発光素子により、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させること、を特徴とするディスクアレイ装置の制御方法。
【請求項１６】
請求項１３に記載のディスクアレイ装置の制御方法であって、
前記発光素子には、前記ハードディスクドライブの動作状態を表示するために設けられる情報処理装置に表示される動作状態と一致した動作状態を表示させることを特徴とするディスクアレイ装置の制御方法。
【請求項１７】
ハードディスクドライブ及び前記ハードディスクドライブを収納するための収納ケースを備えて構成される複数の記憶デバイスユニットが隣接して配置されてなるディスクアレイ装置に、
前記収納ケースに装着された発光素子に、前記ハードディスクドライブの動作状態を表示させる機能を実現させるためのプログラム。
【請求項１８】
請求項１７に記載のディスクアレイ装置に、
前記発光素子として備える前記収納ケースに装着された第１の発光素子および第２の発光素子により、
当該ハードディスクドライブが動作停止中の状態である場合には、前記収納ケースに装着された第１の発光素子及び第２の発光素子を消灯させ、
当該ハードディスクドライブが正常稼働中の状態である場合には、前記第１の発光素子を点灯させ前記第２の発光素子を消灯させ、
当該ハードディスクドライブが交換可能な状態である場合には、前記第１の発光素子を消灯させ前記第２の発光素子を点灯させ、
当該ハードディスクドライブが故障中の状態である場合には、前記第１の発光素子を消灯させ前記第２の発光素子を点滅させ、
当該ハードディスクドライブに記憶されるデータの修復中の状態である場合には、前記第１の発光素子及び前記第２の発光素子を点滅させる機能を実現させるためのプログラム。
【請求項１９】
請求項１７に記載のディスクアレイ装置に、
前記ハードディスクドライブにＲＡＩＤ１〜５の運用方式を適用し、
前記発光素子として備える前記収納ケースに装着された第１の発光素子および第２の発光素子により、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させる機能を実現させるためのプログラム。
【請求項２０】
請求項１７に記載のディスクアレイ装置に、
前記ハードディスクドライブの動作状態を表示するために設けられる情報処理装置に表示される動作状態と一致した動作状態を前記発光素子に表示させる機能を実現させるためのプログラム。
【請求項２１】
ディスクアレイ装置全体の制御を行うディスク制御装置と、データを記憶するハードディスクドライブ及び前記ハードディスクドライブを収納するための収納ケースを備えて構成される複数の記憶デバイスユニットが隣接して配置されてなるディスク駆動装置と、を備え、
前記各記憶デバイスユニットは、それぞれの前記ハードディスクドライブの動作状態を表示するための緑色ＬＥＤおよび赤色ＬＥＤを前記収納ケースに装着し、
前記収納ケースには、前記ＬＥＤからの光を混色させて視認方向に透過させるための視認窓が設けられ、
前記ハードディスクドライブが動作停止中の状態である場合には、前記緑色ＬＥＤ及び前記赤色ＬＥＤを消灯させ、
前記ハードディスクドライブが正常稼働中の状態である場合には、前記緑色ＬＥＤを点灯させ前記赤色ＬＥＤを消灯させ、
前記ハードディスクドライブが交換可能な状態である場合には、前記緑色ＬＥＤを消灯させ前記赤色ＬＥＤを点灯させ、
前記ハードディスクドライブが故障中の状態である場合には、前記緑色ＬＥＤを消灯させ前記赤色ＬＥＤを点滅させ、
前記ハードディスクドライブに記憶されるデータの修復中の状態である場合には、前記緑色ＬＥＤ及び前記赤色ＬＥＤを点滅させること
を特徴とするディスクアレイ装置。
【手続補正２】
【補正対象書類名】明細書
【補正対象項目名】００３４
【補正方法】変更
【補正の内容】
【００３４】
次に、従来のディスクアレイ装置における記憶デバイスユニット１２１０のハードディスクドライブの動作状態表示用ＬＥＤの実装例を図４に示す。
記憶デバイスユニット１２１０は、ディスク駆動装置１２００の筐体１２２０に最大４つ収納可能なディスクユニット１２３０内に、上下の段にそれぞれ最大１６台ずつ、合計３２台収納可能に配置される。各記憶デバイスユニット１２１０はディスクユニット１２３０の内部に設けられているガイドレールに沿って収納されている。記憶デバイスユニット１２１０の取り外しは、ディスクユニット１２３０の手前方向にガイドレールに沿って引き抜くことにより可能である。また記憶デバイスユニット１２１０の装着は、ガイドレールに沿ってディスクユニット１２３０の奥手方向に挿入し、ディスクユニット１２３０の奥手側正面部に装着されたマザーボード１２７０上に装着されたコネクタ１２７１と、記憶デバイスユニット１２１０のコネクタとを嵌合させることにより行われる。なおマザーボード１２７０については、概略図を図１１に示す。
【手続補正３】
【補正対象書類名】明細書
【補正対象項目名】００４４
【補正方法】変更
【補正の内容】
【００４４】
各記憶デバイスユニット１２５０に内蔵されたＬＥＤによる動作表示は視認窓１２５１を通して見ることができる。詳細は後述するが、視認窓１２５１には曇りガラス状の処理が施されている。そのためＬＥＤの光は視認窓１２５１で乱反射し視認窓１２５１全体が発光しているように見える。
【手続補正４】
【補正対象書類名】明細書
【補正対象項目名】００５２
【補正方法】変更
【補正の内容】
【００５２】
従来ＬＥＤで表示できたのはＮｏ１乃至Ｎｏ４までのみであったので、例えば当該記憶デバイスユニット１２１０のハードディスクドライブが、Ｎｏ６及びＮｏ７に示すようなデータ修復中の状態であった場合には、管理端末１１１０にはその旨が表示されるものの、ＬＥＤ表示部１２４０には何の表示もされなかった。そのため当該記憶デバイスユニット１２１０のハードディスクドライブがデータ修復中であるにもかかわらず、ＬＥＤは点灯しておりハードディスクドライブが稼働中の時と区別ができなかった。